(57)【要約】【課題】従来のドア用の鍵は、一般にドアノブの近傍にあり鍵穴からの鍵の挿入で開閉するタイプが多く、ピッキングの対象になりやすい欠点があり、近年は電子錠のようにＩＣカードのような所持者でしか開閉ができないような玄関ドアも使用されるようになってきた。【解決手段】本発明は、従来の玄関ドアとは発想が異なり、ドアノブ近傍以外の箇所に少なくとも２個以上の鍵棒が同時に鍵受け座に嵌合できるようになり、また外部からはその鍵棒の一が確認できないことからピッキング対策としては好ましい新規なピッキング防止用ドアキーを提供するものである。【選択図】図１
2004225518.tif 000002
【特許請求の範囲】
【請求項１】
玄関ドア１における開閉鍵において、前記玄関ドア１端面に複数の鍵穴９が設けられ、相対する壁面に前後に伸縮する複数の鍵棒３が設けられ、又は、前記玄関ドア１端面に前後に伸縮する複数の鍵棒３が設けられ、相対する壁面に複数の鍵穴９が設けられていることを特徴とするピッキング防止用ドアキー。
【請求項２】
前記鍵棒３は、複数の移動錠４内に設けられており、外部操作による指定鍵番号を受けて移動錠４が上下に移動して止まった後に、前後に伸縮して鍵受け座９に固定されてなることを特徴とする請求項１記載のピッキング防止用ドアキー。
【請求項３】
前記移動錠４は、移動枠内を上下に移動し、或いは予め設定されている位置から内部に設けてある鍵棒を前後に伸縮させることを特徴とする請求項１記載のピッキング防止用ドアキー。
【請求項４】
前記移動錠４及び鍵棒３は、外部鍵操作盤に合致する指紋キー、カードキー、暗唱キー、鍵ナンバーキー、或いは通常キーのいずれか１種以上を用いることを特徴とする請求項１記載のピッキング防止用ドアキー。
【請求項５】
前記移動錠４は、内側スイッチ操作により移動枠内を上下に移動し、或いは予め設定されている位置から内部に設けてある鍵棒を前後に伸縮させることを特徴とする請求項１記載のピッキング防止用ドアキー。
【請求項６】
内側及び外側から成る一対のサッシ窓における開閉錠において、前記窓サッシ１６、１７の上面と下面に設けられた鍵受け座２０に、天井側鍵棒１２、２１と床側鍵棒１３、２２とが脱着するように取り付けられていることを特徴とするピッキング防止用サッシ窓キー。
【請求項７】
前記鍵棒は、スイッチ操作により上下に伸縮を繰り返すようにコントロール制御されていることを特徴とする請求項３記載のピッキング防止用サッシ窓キー。
【発明の詳細な説明】
【０００１】
【発明の属する技術分野】
本発明は、従来の鍵のようにドアノブからの施錠でなく、ドアの単面に複数設けた鍵棒を任意の位置から伸縮させてドアノックできる新規なピッキング防止用ドアキー及びピッキング防止用サッシ窓キーに関するものである。
【０００２】
【従来技術】
従来の施錠は、玄関ドアのノブ近傍に設けられた鍵穴から開閉するタイプのものが多いほか、近年は電子錠と言われるタイプの鍵も開発されるように成ってきた。
【０００３】
さらに進んだタイプのものとして、特開２００２−３０９８１５号「電気錠及びＩＤキー」は、「錠前が、ロッキング・バーと、施錠スプリングと、ＩＤ情報を格納する電子コントロール・ユニットと、電源にその電子コントロール・ユニットを接続する発信要求ボタン・スイッチと、その電源にその電子コントロール・ユニットを接続する時限保持回路と、解錠アクチュエータを備えてドアに組み込まれ、そして、ＲＦ−ＩＤ半導体デバイス或いは非接触認識型ＩＣチップが、その錠前のそのＩＤ情報に一対に構成される所持者固有のＩＤ情報を格納し、所持者が日頃持ち歩くものにとりつけられてその錠前の鍵として使用される新規な電気錠」を開示している。
【０００４】
【発明が解決しようとする課題】
しかしながら上記の従来型の施錠鍵や電気錠は、いずれもドアノブの近傍で開閉を行い、ピッキングにあわないように開閉の操作を複雑にすることに主眼が行われていた。
【０００５】
また上記のようにドアノブ近傍において、鍵棒が鍵受け座に伸縮バネの働きでロックすることでドアが閉まった状態と成っているが、近年のピッキング事故においてはこれらの鍵棒自体もチェンソー等で切り取られ、開閉されるということも行われるように成ってきた。
【０００６】
このため単にドアノブ近傍の鍵の開閉のみでなく、ドアの端面を有効利用して複数の鍵棒が自動的に開閉できる新規なピッキング対応型の鍵が求められるように成ってきた。
【０００７】
【課題を解決するための手段】
本発明者は係る課題を解決するために鋭意研究したところ、ドアノブ近傍に鍵棒を用いるという従来の発想から離れて、玄関ドアの端面と相対する壁面とを有効利用することによって複数の鍵棒を任意の箇所に取り付けることによってピッキングを防止できる新規な玄関ドアや窓を提供することを見いだした。
【０００８】
すなわち本発明の第一は、玄関ドア１における開閉鍵において、前記玄関ドア１端面に複数の鍵穴９が設けられ、相対する壁面に前後に伸縮する複数の鍵棒３が設けられ、又は、前記玄関ドア１端面に前後に伸縮する複数の鍵棒３が設けられ、相対する壁面に複数の鍵穴９が設けられていることを特徴とするピッキング防止用ドアキーである。
【０００９】
本発明の第二は、前記鍵棒３は、複数の移動錠４内に設けられており、外部操作による指定鍵番号を受けて移動錠４が上下に移動して止まった後に、前後に伸縮して鍵受け座９に固定されてなることを特徴とする請求項１記載のピッキング防止用ドアキーである。
【００１０】
本発明の第三は、前記移動錠４は、移動枠内を上下に移動し、或いは予め設定されている位置から内部に設けてある鍵棒を前後に伸縮させることを特徴とする請求項１記載のピッキング防止用ドアキーである。
【００１１】
本発明の第四は、前記移動錠４及び鍵棒３は、外部鍵操作盤に合致する指紋キー、カードキー、暗唱キー、鍵ナンバーキー、或いは通常キーのいずれか１種以上を用いることを特徴とする請求項１記載のピッキング防止用ドアキーである。
【００１２】
本発明の第五は、前記移動錠４は、内側スイッチ操作により移動枠内を上下に移動し、或いは予め設定されている位置から内部に設けてある鍵棒を前後に伸縮させることを特徴とする請求項１記載のピッキング防止用ドアキーである。
【００１３】
本発明の第六は、内側及び外側から成る一対のサッシ窓における開閉錠において、前記窓サッシ１６、１７の上面と下面に設けられた鍵受け座２０に、天井側鍵棒１２、２１と床側鍵棒１３、２２とが脱着するように取り付けられていることを特徴とするピッキング防止用サッシ窓キーである。
【００１４】
本発明の第六は、前記鍵棒は、スイッチ操作により上下に伸縮を繰り返すようにコントロール制御されていることを特徴とする請求項３記載のピッキング防止用サッシ窓キー。
【００１５】
【発明の実施の態様】
図１は、本発明を説明する配置図であるが、基本的な構造は、玄関ドア１の端面側に設けられた複数の鍵受け座９に、相対面するように設置された複数の移動錠４の中に設けられた鍵棒３が伸びて合致することにより鍵が閉まった状態となるものである。
【００１６】
この場合、移動錠４は、鍵内臓型のインターホン５内のケース蓋を開けると、指紋キー、カードキー、暗唱キー、通常のキーのいずれか１種以上で指定された鍵番号を受け、電気錠コントローラを介して予め設定している位置、或いは移動錠４を上下に移動させながら任意の位置で止め、その位置から鍵棒３を伸ばして鍵受け座９に合致するようにしている。
【００１７】
この場合、前記鍵内臓型のインターホン５は、通常のインターホンの作用の他にそのインターホンの外壁を開けることによって内部に指紋キー、カードキー、暗唱キー、鍵ナンバーキー、或いは通常キーのいずれか１種以上を直接に、或いは組み合わせて操作できるようにしている。
【００１８】
このため前記電気錠コントローラ７には、移動錠４が任意に移動できるようにプログラムを組み入れて対応も可能であるが、本発明の鍵棒３は、ドアノブ近傍から離れて複数の鍵棒３が同時に鍵受け座９に係るために、外側からはその位置が見えなく、また１個の鍵棒３が壊されても他の鍵棒の存在でドア１が開閉できない構造となっている。
【００１９】
本発明キーを応用できる玄関ドアとしては、蝶番を介して前後片方に開閉できるドアのみでなく左右に開閉可能な引き込み式のドアにも使用可能である。
【００２０】
この他、操作手段として、上述の移動錠と鍵棒を有するピッキング防止用ドアキーと組み合わせて、ＩＤ情報を格納する電子コントロール・ユニットと、電源にその電子コントロール・ユニットを接続する発信要求ボタン・スイッチと、その電源にその電子コントロール・ユニットを接続する時限保持回路と、解錠アクチュエータを備えてドアに組み込んだものを操作するために鍵内蔵型インタホンケース内部に取り組むことも可能である。
【００２１】
本発明の第２発明は、図４から図６に示すように室内におけるサッシ窓のピッキング防止に関するものである。
【００２２】
図４は、本発明を説明する配置図であるが、基本的な構造は、一対の外側サッシ窓１７と内側サッシ窓１６の上下に設けられた複数の鍵受け座１８に、相対面するように設置された複数の鍵棒１２、１３及び２１、２２が伸びて合致することにより鍵が閉まった状態となるものである。
【００１６】
この場合、鍵棒１２，１３及び２１、２２は、両サッシ窓を閉めた後に通常の鍵をロックした後、或いは直接両サッシ窓を閉めた後にスイッチ操作で鍵棒３を伸ばして鍵受け座９に合致するようにしている。
【００１７】
【発明の効果】
本発明の鍵を用いることによって、外側からのピッキングに対してドアノブ近傍に鍵棒がないために、鍵棒の位置が悟られにくいと言う効果を有する。
【００１８】
たとえ１個の鍵棒が壊されたとしても、まだ他の鍵棒によってドアがノックされたているために外側からの開閉ができないと言う効果を併せて有するものである。
【００１９】
同様に室内におけるサッシ窓も外側からは鍵棒の位置が見えないため、従来のように窓自体の一部を壊して解錠しても、天井側と床側からの鍵棒がロックした状態であるので、外側からサッシ窓を開閉することはできないという防犯上の効果は大きい。
【図面の簡単な説明】
【図１】本発明を説明する配置図である。
【図２】図１に示す配置図を横からみた断面図である。
【図３】玄関ドア端面における鍵棒の開閉を示す部分拡大図である。
【図４】第２発明であるサッシ窓の施錠を説明する配置図である。
【図５】図４に示す配置図を横からみた断面図である。
【図６】サッシ窓下面における鍵棒の開閉を示す部分拡大図である。
【符号の説明】
１・・・・玄関ドア
２・・・・ドアノブ
３・・・・鍵棒
４・・・・移動錠
５・・・・インターホン（鍵内臓型）
６・・・・インターホン内機
７・・・・電気錠コントローラ
８・・・・外壁
９・・・・鍵受け座
１０・・・内壁
１１・・・スイッチ
１２・・・床側鍵棒
１３・・・天井側鍵棒
１４・・・天井
１５・・・床
１６・・・内側サッシ窓
１７・・・外側サッシ窓
１８・・・外壁
１９・・・内壁
２０・・・鍵受け座
２１・・・内側サッシ窓鍵棒
２２・・・外側サッシ窓鍵棒
【図１】
2004225518.tif 000003
【図２】
2004225518.tif 000004
【図３】
2004225518.tif 000005
【図４】
2004225518.tif 000006
【図５】
2004225518.tif 000007
【図６】
2004225518.tif 000008